(57)【要約】【課題】展開及び組立てが自在で強固な構成で組立て可能なペット用筐体及びペット用爪研部材の脱着が容易なペット用爪研部材を備えたペット用筐体並びにペット用爪研部材を提供すること。【解決手段】ペット用筐体１は、筐体本体２と、正面板３０及び背面板３１とからなり、筐体本体１は、上面部８、左側面部９、右側面部７、底面部６とを有する。また、筐体本体２は、折返部に縁辺部（１３、１５、１７、１９、２１、２３、２５、２７）及び折返片（１２、１４、１６、１８、２０、２２、２４、２６）を有する。ペット用爪研部材３５は、筐体本体２の底面部６と折返片１２との間に、縁辺部１３の幅で形成される空間にペット用爪研部材３５の一方の端部を挿入し、筐体本体２の底面部６と折返片１４との間に縁辺部１５の幅で形成される空間にペット用爪研部材３５の他方の端部を挿入して固定する。【選択図】        図１
2004166670.tif 000002
【特許請求の範囲】
【請求項１】
展開及び組立てが自在でペットの収容が可能なペット用筐体であって、
側面部が多面でなり、該多面で形成された内側に収容空間を有する多面体でなる筐体本体と、前記筐体本体の多面で構成された収容空間を閉塞する閉塞板とを備え、前記閉塞板が嵌挿される前記筐体本体の周縁部近傍に折返部を設けたこと
を特徴とするペット用筐体。
【請求項２】
前記多面体は、上面部、左側面部、右側面部、底面部からなる立方体形状で構成され、前記閉塞板は、正面板及び背面板とを有すること
を特徴とする請求項１記載のペット用筐体。
【請求項３】
前記多面体は、第１側面部乃至第６側面部からなる６角柱状で構成され、前記閉塞板は、正面板及び背面板とを有すること
を特徴とする請求項１記載のペット用筐体。
【請求項４】
前記折返部は、前記筐体本体の周縁部近傍に縁辺部を有すること
を特徴とする請求項１記載のペット用筐体。
【請求項５】
前記正面板及び背面板の夫々は、張出部が形成され、該張出部が係合可能な係合部を前記折返部に設けたこと
を特徴とする請求項１乃至請求項４のうち、少なくともいずれか１に記載のペット用筐体。
【請求項６】
前記折返部の縁辺部は、端部がテーパ状に形成された切欠部を有する台形形状でなり、前記筐体本体の組立て時に隣接する縁辺部の各切欠部同士が当接すること
を特徴とする請求項１、請求項４又は請求項５記載のペット用筐体。
【請求項７】
前記折返部の前記縁辺部以外の部位には、筐体本体を組立てた場合に隣接する折返部に設けられた係合凸部又は係合凹部と係合可能な係合凹部又は係合凸部を有すること
を特徴とする請求項１又は請求項４乃至請求項６のうち、少なくともいずれか１に記載のペット用筐体。
【請求項８】
前記閉塞板及び／又は前記多面体には、出入口を有すること
を特徴とする請求項１乃至請求項７のうち、少なくともいずれか１に記載のペット用筐体。
【請求項９】
請求項１乃至請求項８記載のペット用筐体において、
前記多面で形成された内側に収容空間を有する多面体でなる筐体本体と、前記閉塞板が嵌挿される前記筐体本体の周縁部近傍に設けられた折返部との間で形成される空間に、縦長の矩形状でなるペット用爪研部材を挿入して固定する構成としたこと
を特徴とするペット用爪研部材を備えたペット用筐体。
【請求項１０】
前記折返部の縁辺部の幅は、前記ペット用爪研部材の厚さと同じ若しくは薄く構成したことを特徴とする請求項９記載のペット用爪研部材を備えたペット用筐体。
【請求項１１】
前記折返部は、凹部を設けたこと
を特徴とする請求項９又は請求項１０記載のペット用爪研部材を備えたペット用筐体。
【請求項１２】
前記ペット用筐体の一辺の長さよりもやや長く形成したペット用爪研部材を筐体本体の縁辺部と平行に筐体本体の内側に密着させて設置し、前記ペット用爪研部材の両端を筐体本体の対向する２面によって挟持して固定すること
を特徴とする請求項９又は請求項１０記載のペット用爪研部材を備えたペット用筐体。
【請求項１３】
ペット用筐体で用いられるペット用爪研部材において、複数枚貼り合わせて形成された段ボールを前記ペット用筐体に取付け可能な長さと厚さを有する板状体に裁断して構成したこと
を特徴とするペット用爪研部材。
【発明の詳細な説明】
【０００１】
【発明の属する技術分野】
本発明は、猫等のペットを収容可能なペット用筐体及びペット用爪研部材を備えたペット用筐体並びにペット用爪研部材に関する。
【０００２】
【従来の技術】
従来のペット用筐体としては、図１２に示すようなものが知られている（特許文献１参照）。図１２（ａ）は、従来のペット用筐体の展開図、（ｂ）は、従来のペット用筐体の組立工程を示す斜視図、（ｃ）は、従来のペット用筐体の斜視図である。
【０００３】
図１２（ａ）及び（ｃ）に示すように、従来のペット用筐体１００は、６面体で構成され、上面部１０１、側面部１０２、底面部１０３、側面部１０４、閉塞部１０５及び閉塞部１０６からなり、これらの６面で形成された内側に収容空間を有する。また、上面部１０１、側面部１０２、底面部１０３、側面部１０４、閉塞部１０５及び閉塞部１０６には、夫々ペットがペット用筐体に出入するための出入口１０１ｅ、１０２ｅ、１０３ｅ、１０４ｅ、１０５ｅ及び１０６ｅを有している。また、上面部１０１には、ペット用筐体１００を組立てた場合に側面部１０４と組み合わされて固定される、折込片１０１ａが設けられている。
【０００４】
図１２（ａ）に示すように、閉塞部１０６は、ペット用筐体１００を組立てた場合に上面部１０１と組み合わされる側に折込片１０６ａを有し、この折込片１０６ａには係合部１０６ｂが形成されている。また、閉塞部１０６は、ペット用筐体１００を組立てた場合に側面部１０４と組み合わされる側に折込片１０６ｃを有し、この折込片１０６ｃには係合部１０６ｄが形成されている（前記閉塞部１０６は、ペット用筐体１００を組立てた場合に側面部１０２と組み合わされる側も同様の構成でなる）。なお、閉塞部１０５も閉塞部１０６と同様の構成でなる。
【０００５】
図１２（ａ）に示すように、側面部１０４は、ペット用筐体１００を組立てた場合に閉塞部１０６と組み合わされる側に、折込片１０４ａを有し、この折込片１０４ａには係合部１０４ｂ及び舌片１０４ｃが形成されている（側面部１０４は、ペット用筐体１００を組立てた場合に閉塞部１０５と組み合わされる側も同様の構成でなる）。なお、側面部１０２も側面部１０４と同様の構成でなる。
【０００６】
図１２（ａ）に示すように、上面部１０１は、ペット用筐体１００を組立てた場合に閉塞部１０６と組み合わされる側に舌片１０１ｂを有する。なお、底面部１０３も上面部１０１と同様の構成でなる。
【０００７】
従来のペット用筐体１００を組立てる場合には、図１２（ａ）及び（ｂ）に示すように、折込片１０１ａを側面部１０４の内側に組み合わせて当接させ、折込片１０６ａを上面部１０１の内側に当接させるようにして舌片１０１ｂを係合部１０６ｂに係合させる。また、折込片１０６ｃを係合部１０４ｂに係合させた後、舌片１０４ｃを係合部１０６ｄに係合させる（これら以外の係合状態については、その説明を省略する）。このようにして、総ての係合部と舌片又は折込片とを係合させると、図１２（ｃ）に示すように、６面体で構成される従来のペット用筐体１００が完成する。また、展開する場合には、前述した係合部等を解除するようにすればよい。
【０００８】
また、従来のペット用爪研部材を備えたペット用筐体としては、図１３に示すようなものが知られている（特許文献２）。図１３は、従来のペット用爪研部材を備えたペット用筐体の斜視図である。
【０００９】
図１３に示すように、従来のペット用爪研部材を備えたペット用筐体１２０は、ペットを内部に収納可能な筐体本体１２１と、平面部１２２とから構成されている。筐体本体１２１は、斜面部１２１ａ、斜面部１２１ｂ、底面部１２１ｆ、三角形状の側面部１２１ｄ及び三角形状の側面部１２１ｅからなる五面体で構成され、斜面部１２１ａには、ペットが出入するためのアーチ状の出入口１２１ｃが設けられている。
【００１０】
図１３に示すように、平面部１２２は、筐体本体１２１の底面部１２１ｆから連続して構成され、筐体本体１２１の斜面部１２１ｂの上端部近傍から斜面部１２１ａ及び平面部１２３まで連続して、横線条でかつ面状のペット用爪研部材１２３が設けられている。
【００１１】
【特許文献１】
実用新案登録３０６９８９９号公報
【特許文献２】
実用新案登録３０５４６８６号公報
【００１２】
【発明が解決しようとする課題】
しかして、ペット用筐体は、収納の便宜のため展開及び組立てが自在であり、かつ、低廉なものである必要があることから、段ボール等の安価な材質によって構成されることが多く、ペット用筐体へのペットの出入りや、ペット用筐体内部でのペットの動きに耐え得る強固な構造で構成されることが望ましい。しかしながら、従来のペット用筐体１００は、係合部と舌片又は折込片とを係合させることのみによって、上面部１０１、側面部１０２、底面部１０３、側面部１０４、閉塞部１０５、側面部１０６を連結して組立てられているため、組立てられたペット用筐体１００の強度は低く破損しやすい。このようにペット用筐体が破損しやすいため、破損する毎に新しいペット用筐体を購入する必要が生じることからコストが増大する傾向がある。
【００１３】
また、猫等は、人目につかない狭い場所を好む習性や、爪を研ぐ習性もあるが、従来のペット用爪研部材を備えたペット用筐体１２０は、ペット用爪研部材１２３が筐体本体１２１の外側に設けられているので、前記習性の両方を同時に満たすものではない。また、従来のペット用爪研部材を備えたペット用筐体１２０は、ペット用爪研部材１２３が筐体本体１２１の外側に設けられているので、爪研によって生じる爪研屑が周囲に散逸してしまう。さらに、ペット用爪研部材１２３が筐体本体１２１と一体的に設けられているので、ペット用爪研部材１２３が磨耗し、爪研ぎの効果がなくなった場合に、ペット用爪研部材１２３のみを取り替えることはできず、筐体本体１２１を含めたペット用筐体１２０全体を購入しなければならず、コストがかかる。
【００１４】
そこで本発明は、上記のような課題を解決するためになされたものであって、展開及び組立てが自在かつ低廉であり強固に組立てることが可能なペット用筐体及びペット用爪研部材の取替えが容易なペット用爪研部材を備えたペット用筐体並びにペット用爪研部材を提供することを目的とする。
【００１５】
【課題を解決するための手段】
本発明によるペット用筐体は、展開及び組立てが自在でペットの収容が可能なペット用筐体であって、側面部が多面でなり、該多面で形成された内側に収容空間を有する多面体でなる筐体本体と、前記筐体本体の多面で構成された収容空間を閉塞する閉塞板とを備え、前記閉塞板が嵌挿される前記筐体本体の周縁部近傍に折返部を設けた。
【００１６】
また、本発明によるペット用筐体の前記多面体は、上面部、左側面部、右側面部、底面部からなる立方体形状で構成され、前記閉塞板は、正面板及び背面板とを有する。
【００１７】
また、本発明によるペット用筐体の前記多面体は、第１側面部乃至第６側面部からなる６角柱状で構成され、前記閉塞板は、正面板及び背面板とを有する。
【００１８】
また、本発明によるペット用筐体の前記折返部は、前記筐体本体の周縁部近傍に縁辺部を有する。
【００１９】
また、本発明によるペット用筐体の前記正面板及び背面板の夫々は、張出部が形成され、該張出部が係合可能な係合部を前記折返部に設けた。
【００２０】
また、本発明によるペット用筐体の前記折返部の縁辺部は、端部がテーパ状に形成された切欠部を有する台形形状でなり、前記筐体本体の組立て時に隣接する縁辺部の各切欠部同士が当接する。
【００２１】
また、本発明によるペット用筐体の前記折返部の前記縁辺部以外の部位には、筐体本体を組立てた場合に隣接する折返部に設けられた係合凸部又は係合凹部と係合可能な係合凹部又は係合凸部を有する。
【００２２】
また、本発明によるペット用筐体の前記閉塞板及び／又は前記多面体には、出入口を有する。
【００２３】
また、本発明によるペット用筐体は、前記多面で形成された内側に収容空間を有する多面体でなる筐体本体と、前記閉塞板が嵌挿される前記筐体本体の周縁部近傍に設けられた折返部との間で形成される空間に、縦長の矩形状でなるペット用爪研部材を挿入して固定する構成とした。
【００２４】
また、本発明によるペット用筐体の前記折返部の縁辺部の幅は、前記ペット用爪研部材の厚さと同じ若しくは薄く構成した。
【００２５】
また、本発明によるペット用筐体の前記折返部は、凹部を設けた。
【００２６】
また、本発明によるペット用筐体は、ペット用筐体の一辺の長さよりもやや長く形成したペット用爪研部材を筐体本体の縁辺部と平行に筐体本体の内側に密着させて設置し、前記ペット用爪研部材の両端を筐体本体の対向する２面によって挟持して固定する。
【００２７】
また、本発明によるペット用爪研部材は、ペット用筐体で用いられるペット用爪研部材において、複数枚貼り合わせて形成された段ボールを前記ペット用筐体に取付け可能な長さと厚さを有する板状体に裁断して構成した。
【００２８】
【発明の実施の形態】
次に本発明によるペット用筐体の実施の形態について、図１及び図２を参照して説明する。図１は、本発明によるペット用筐体が組立てられた状態の斜視図、図２（ａ）は、本発明によるペット用筐体の筐体本体の展開図、（ｂ）は、正面板の平面図、（ｃ）は、背面板の正面図である。
【００２９】
図１に示すように、ペット用筐体１は、内側に収容空間を有する筐体本体２と、筐体本体２の収容空間を閉塞する正面板３０及び背面板３１とからなり、筐体本体２は、全体が立方体形状で構成され、上面部８、左側面部９、右側面部７、底面部６とを有する。なお、本実施の形態では、立方体形状で構成されているが、直方体形状や三角柱状でもよく、側面部が多面で形成された内側に収容空間を有する多面体であればよい。
【００３０】
図１に示すように、組立てられたペット用筐体１を展開すると、図２に示すように、一面のシート状で所定の形状に型どられた筐体本体２と、正面板３０と、背面板３１に分解される。なお、筐体本体２、正面板３０、背面板３１は、段ボールで成形されているが、それ以外の材料により構成してもよい。以下、展開された筐体本体２、正面板３０及び背面板３１の構成について説明する。
【００３１】
図２（ａ）に示すように、筐体本体２は、底面部６、右側面部７、上面部８及び左側面部９を有し、この順で一列に配されており、各境界は、組立てる際に折り曲げがし易いように折り目が形成されている（以下、この他の折り目に関する説明は省略する。）。上面部８の中央には、円形形状でペットの出入が可能な出入口８ａが設けられている。なお、この出入口８ａは、上面部８以外の他の部位にも設けて、複数の出入口を有してもよい。
【００３２】
図２（ａ）に示すように、底面部６は、筐体本体２の組立て時に左側面部９と組み合わされる側の１辺に折込片５を有し、この折込片５と底面部６との境界上に第１挿入孔４ａ及び第２挿入孔４ｂが離間配置されている。
【００３３】
図２（ａ）に示すように、左側面部９は、筐体本体２の組立て時に底面部６と組み合わされる１辺に、第１舌片３ａ及び第２舌片３ｂを有し、第１挿入孔４ａ及び第２挿入孔４ｂと同じ間隔で離間配置されている。第１舌片３ａ及び第２舌片３ｂは、第１挿入孔４ａ及び第２挿入孔４ｂに嵌挿可能な幅であって、基端部近傍は前記挿入孔４ａ及び４ｂよりもやや幅広に形成され、第１挿入孔４ａ及び第２挿入孔４ｂに嵌挿し易いように端部はテーパ状に形成されている。また、第１舌片３ａの基端部には、第１舌片係止用段部３ａ１及び第１舌片係止用段部３ａ２が形成され、第２舌片３ｂの基端部には、第２舌片係止用段部３ｂ１及び第２舌片係止用段部３ｂ２が形成されており、第１挿入孔４ａ及び第２挿入孔４ｂに嵌挿された場合において第１舌片及び第２舌片が外れにくくなっている。
【００３４】
図２（ａ）に示すように、底面部６は、右側面部７と隣接している１辺（すなわちＸ方向に位置する辺）と直交する２辺（すなわちＹ方向に位置する辺）に、縁辺部１３又は縁辺部１５を有し、縁辺部１３は、端部がテーパ状に形成された切欠部１３ａ及び１３ｂを有する台形形状でなり、筐体本体２を組立てた場合に隣接する他の縁辺部の切欠部と当接するようになっている。
【００３５】
また、図２（ａ）に示すように、縁辺部１３の端部には、折返片１２が設けられ、縁辺部１５の端部には、折返片１４が設けられている。図２（ａ）に示すように、折返片１２は、係合凹部１２ａと、係合凹部１２ｂと、係合部１２ｃと、凹部１２ｄとを有する。なお、縁辺部１３、縁辺部１５、折返片１２、折返片１４とで折返部を構成し、この折返部は後述する右側面部７、上面部８及び左側面部９も同様の名称を用いる。
【００３６】
図２（ａ）に示すように、係合凹部１２ａと係合凹部１２ｂとは、折返片１２の一方の側端に係合凹部１２ａが形成され、他方の側端に係合凹部１２ｂが形成されており、筐体本体２を組立てた場合に隣接する他の折返片に設けられた係合凸部と係合するようになっている。なお、本実施の形態では、折返片１２の両側端に１つの係合凹部を設けているが、必ずしも一つである必要はなく、筐体本体２を組立てた場合に隣接する他の折返片に設けられた係合凸部の数に対応させて複数の係合凹部を設けて構成してもよい。
【００３７】
図２（ａ）に示すように、係合部１２ｃは、折返片１２の中央近傍に、縁辺部１３が設けられている底面部６の１辺と平行（すなわちＹ方向）に、長手状で設けられている。
【００３８】
図２（ａ）に示すように、凹部１２ｄは、折返片１２の端部の中央部近傍を矩形に切除して設けられている。なお、本実施の形態では、凹部１２ｄは、折返片１２の端部の中央部近傍に設けられているが、必ずしも係る構成をとる必要はなく、右側面部７寄りに設けてもよいし、折込片５寄りに設けてもよい。また、本実施の形態では、凹部１２ｄは、矩形に切除して設けられているが、必ずしも係る構成をとる必要はなく、円弧状に切除してもよく、これ以外の形状で切除して構成してもよい。
【００３９】
なお、図２（ａ）に示すように、縁辺部１５及び折返片１４は、縁辺部１３及び折返片１２と同様の構成からなっている。
【００４０】
図２（ａ）に示すように、縁辺部１３及び縁辺部１４と同様の構成で、右側面部７は、縁辺部１７及び縁辺部１９、上面部８は、縁辺部２１及び縁辺部２３、左側面部９は縁辺部２５及び縁辺部２７を有している。
【００４１】
図２（ａ）に示すように、折返片１２及び折返片１４と同様の構成で、上面部８は、折返片２０及び折返片２２を有している。
【００４２】
図２（ａ）に示すように、左側面部９の縁辺部２５の端部には、折返片２４が設けられ、縁辺部２７の端部には、折返片２６が設けられている。図２（ａ）に示すように、折返片２４は、係合凸部２４ａと、係合凸部２４ｂと、係合部２４ｃと、凹部２４ｄとを有する。係合凸部２４ａと係合凸部２４ｂは、折返片２４の一方の側端に係合凸部２４ａが形成され、他方の側端に係合凸部２４ｂが形成されており、筐体本体２を組立てた場合に隣接する他の折返片に設けられた係合凹部と係合するようになっている。なお、本実施の形態では、折返片２４の両側端に１つの係合凸部を設けているが、必ずしも一つである必要はなく、筐体本体２を組立てた場合に隣接する他の折返部に設けられた係合凹部の数に対応させて複数の係合凹部を設けて構成してもよい。図２（ａ）に示すように、係合部２４ｃと及び凹部２４ｄは、係合部１２ｃ及び１２ｄと同様の構成でなる。
【００４３】
また、図２（ａ）に示すように、折返片２６は、折返部２４と同様の構成からなっている。
【００４４】
図２（ａ）に示すように、折返片２４及び折返片２６と同様の構成で、右側面部７は、折返片１６及び折返片１８を有している。
【００４５】
なお、本実施の形態では、折返片１２、折返片１４、折返片２０、折返片２２は、その両側端に係合凹部を設け、折返片１６、折返片１８、折返片２４、折返片２６は、その両側端に係合凹部と係合可能な係合凸部を設ける構成としているが、必ずしもかかる構成をとる必要はなく、総ての折返片において、一方の側面に係合凹部を設け、他方の側面に係合凸部を設ける構成としてもよい。
【００４６】
図２（ｂ）に示すように、正面板３０は、正方形で構成されてなり、図１に示すように、筐体本体２の縁辺部１３、縁辺部１７、縁辺部２１、縁辺部２５によって形成される周縁部に嵌挿可能な大きさで形成され、各辺には夫々、張出部３０ａ、張出部３０ｂ、張出部３０ｃ、張出部３０ｄを設けて、筐体本体２の係合部２０ｃ、係合部２４ｃ、係合部１２ｃ、係合部１６ｃと係合できるようになっている。また、正面板３０の中央にはペットの出入が可能な円形形状の出入口３０ｅが形成されている。なお、本実施の形態では、正面板３０は、正方形で構成されてなるが、必ずしもかかる構成をとる必要はなく、例えば、筐体本体の側面部が多面でなり、この多面で形成された内側に収容空間を有する多面体で筐体本体が形成される場合には、多面体の収容空間を閉塞する形状とすればよい。
【００４７】
図２（ｃ）に示すように、背面板３１は、正方形で構成されてなり、図１に示すように、筐体本体２の縁辺部１５、縁辺部１９、縁辺部２３、縁辺部２７によって形成される周縁部に嵌挿可能な大きさで形成され、各辺には夫々、張出部３１ａ、張出部３１ｂ、張出部３１ｃ、張出部３１ｄを設けて、筐体本体２の係合部２２ｃ、係合部２６ｃ、係合部１４ｃ、係合部１８ｃと係合できるようになっている。また、背面板３１の中央にはペットの出入が可能な円形形状の出入口３１ｅが形成されている。なお、本実施の形態では、背面板３１は、正方形で構成されてなるが、必ずしもかかる構成をとる必要はなく、例えば、筐体本体の側面部が多面でなり、この多面で形成された内側に収容空間を有する多面体で筐体本体が形成される場合には、多面体の収容空間を閉塞する形状とすればよい。
【００４８】
次に、図３乃至図８を参照して、本発明によるペット用筐体の組立工程について説明し、併せて、ペット用爪研部材をペット用筐体に取り付ける構造及び方法について説明する。図３は、筐体本体の側面を組立てる工程を示す斜視図、図４は、筐体本体の縁辺部及び折返片を組立てる工程を示す斜視図、図５（ａ）は、ペット用爪研部材の第１の固定状態を示す斜視図、図５（ｂ）は、ペット用爪研部材の第２の固定状態を示す斜視図、図６（ａ）は、ペット用爪研部材の第１の固定状態とする工程を示す斜視図及びペット用爪研部材の部分拡大図、図６（ｂ）は、ペット用爪研部材の第１の固定状態とした工程を示す斜視図、図７は、ペット用爪研部材の第２の固定状態とする工程を示す斜視図、図８は、筐体本体に正面板を取り付ける工程を示す斜視図である。
【００４９】
図３に示すように、筐体本体２を組立てるには、まず、総ての縁辺部及び折返片を折り曲げない状態において、折込辺５、底面部６、右側面部７、上面部８、左側面部９、第１舌片３ａ及び第２舌片３ｂを各境界に設けられた折り目に沿って折り曲げる。その際に、第１舌片３ａを第１挿入孔４ａに挿入し、第２舌片３ｂを第２挿入孔４ｂに挿入して、第１舌片係止用段部３ａ１及び３ａ２が第１挿入孔４ａに、第２舌片係止用段部３ｂ１及び３ｂ２が第２挿入孔４ｂに確実に係止されるまで挿入して固定する。
【００５０】
次に、図４に示すように、総ての縁辺部及び折返片を順次折り曲げて、各折返片の両側端に設けられた係合凸部又は係合凹部と、これに隣接する折返片の両側端に設けられた係合凹部又は係合凸部とが係合するように組立てる。具体的には、縁辺部２５を左側面部９との境界に設けられた折り目に沿って折り曲げ、更に、折返片２４を、縁辺部２５との境界に設けられた折り目に沿って折り曲げる際に、既に折り曲げられて隣接する折返片１２の係合凹部１２ａと、折返片２４の係合凸部２４ｂとが係合するようにする。同様に他の総ての各係合凸部と係合凹部が係合するように縁辺部及び折返片を折り曲げて組立てる。総ての縁辺部及び折返片についての組立てが完了すると、総ての縁辺部の切欠部が、隣接する他の縁辺部の切欠部と当接し、しかも切欠部の当接は、前記のように相互に係合がされた総ての折返片によって支持されるので、筐体本体のゆがみに対して強い構造となる。
【００５１】
次に、図５乃至図７を参照して、組立てられた筐体本体にペット用爪研部材を取り付ける方法について説明する。
【００５２】
図６（ａ）に示すように、ペット用爪研部材３５は、複数枚貼り合わせて形成された段ボールを、ペット用筐体１に取付け可能な長さと厚さを有する板状体に裁断して形成されるものであり、全体として矩形板状形状でなるものである。図６（ａ）に示すように、ペット用爪研部材３５は、爪研部材裁断面３５ａと、爪研部材側面３５ｂと、爪研面３５ｃとからなる。また、図６（ｂ）に示すように、ペット用爪研部材３５は、筐体本体２の幅Ｌ１よりも短く、各縁辺部の幅Ｗと同じ若しくはやや厚く裁断されている。なお、本実施の形態では、ペット用爪研部材３５は、爪研部材側面３５ｂを長く、爪研部材裁断面３５ａを短く形成しているが、逆の構成としてもよい。
【００５３】
また、図７に示すように、ペット用爪研部材３６は、複数枚貼り合わせて形成された段ボールをペット用筐体１に取付け可能な長さと厚さを有する板状体に裁断して形成されるものであり、全体として矩形板状形状でなるものである。図７に示すように、ペット用爪研部材３６は、爪研部材裁断面３６ａと、爪研部材側面３６ｂと、爪研面３６ｃとからなる。また、図７に示すように、筐体本体２の幅Ｌ２と同じ若しくはやや長く裁断されている。なお、本実施の形態では、ペット用爪研部材３６は、爪研部材側面３６ｂを長く、爪研部材際断面３６ａを短く形成しているが、逆の構成としてもよい。
【００５４】
図５（ａ）に示すように、ペット用爪研部材３５をペット用筐体１に固定する第１の固定方法は、図６（ａ）に示すように、ペット用爪研部材３５を、爪研面３５ｃが上方向となるようにして、ペット用爪研部材３５の長手方向を縁辺部１３又は縁辺部１５と平行に、筐体本体２の内側の底面部６上に、折返片１２と折返片１４との間に位置するようにして設置する。その後、図６（ｂ）に示すように、ペット用爪研部材３５は、筐体本体２の幅Ｌ１よりも短く構成されているので、ペット用爪研部材３５を矢印方向に回動させることができ、ペット用爪研部材３５を矢印方向に回動させて、筐体本体２の底面部６と折返片１２との間に縁辺部１３の幅で形成される空間にペット用爪研部材３５の一方の端部を挿入し、筐体本体２の底面部６と折返片１４との間に縁辺部１５の幅で形成される空間にペット用爪研部材３５の他方の端部を挿入して、図５（ａ）に示すように、ペット用爪研部材３５を固定する。なお、以上のペット用爪研部材３５をペット用筐体１に固定する第１の固定方法は、既に組立てられた筐体本体２に対してペット用爪研部材３５を固定する方法であるが、筐体本体２の各縁辺部と折返片を組立てる前に、図５（ａ）に示す所定の位置にペット用爪研部材３５を予め設置してから、筐体本体２の各縁辺部と折返片を組立てることによって、筐体本体２の組立て途中においてペット用爪研部材３５をペット用筐体１に固定するようにしてもよい。
【００５５】
図６（ｂ）に示すように、ペット用爪研部材３５は、各縁辺部の幅Ｗと同じ若しくはやや厚く形成されており、しかも、総ての折返部は各係合凸部及び係合凹部によって相互に強固に固定されているので、ペット用爪研部材３５を強固に固定することができる。
【００５６】
本実施の形態では、図５（ａ）に示すように、折返部１２及び折返部１４、折返部１７及び折返部１９、折返部２１及び折返部２３、折返部２５及び折返部２７というように、筐体本体２を組立てた場合に互いに対向する折返部が４組あるので、底面部６の他、右側面部７、上面部８、左側面部９のどこにでもペット用爪研具３０を取り付けることが可能である。
【００５７】
図５（ａ）及び図６（ｂ）に示すように、折返部１２の中央部近傍に凹部１２ｄを設け、折返部１２と対向する折返部１４の中央部近傍に凹部１４ｄを設けているので、前記のように、ペット用爪研部材３０をペット用筐体１に固定した場合に、より広い爪研面３５ｃを確保することが可能である。なお、本実施の形態では、図５（ａ）に示すように、相互に対向する凹部１２ｄ及び凹部１４ｄを折返部１２又は折返部１４の中央部近傍に設けているが、夫々左側面部９寄り又は右側面部７寄りに設けてもよく、これに対応してペット用爪研部材３０を左側面部９寄り又は右側面部７寄りに固定することによって、猫等のペットが座る底面部６の内側のスペースをより多く確保するようにしてもよい。
【００５８】
図５（ｂ）に示すように、ペット用爪研部材３６をペット用筐体１に固定する第２の固定方法は、図７に示すように、ペット用爪研部材３６を爪研面３６ｃが上方向となるようにして、ペット用爪研部材３６の長手方向を縁辺部１３又は縁辺部１４と平行に、筐体本体２の内側の底面部６上に折返部１２と折返部１４との間に位置するようにして設置する。
【００５９】
図５（ｂ）及び図７に示すように、ペット用爪研部材３６は、爪研部材裁断面３６ａが左側面部９（折込片５）及び右側面部７に当接し、また、図７に示すように、ペット用爪研部材３６は、筐体本体２の幅Ｌ２と同じ若しくはやや長く形成されているので、左側面部９（折込片５）及び右側面部７の両側からペット用爪研部材３６をより強力に押圧できるので、ペット用爪研部材３６を強固に固定することができる。
【００６０】
本実施の形態では、ペット用筐体１は、立方体形状で構成されているので、底面部６の他、右側面部７、上面部８、左側面部９のいずれにもペット用爪研具３１を前記方法により取り付けることが可能である。
【００６１】
次に、図１及び図８を参照して、前記のように組立てられた筐体本体２に、正面板３０及び背面板３１を取り付けてペット用筐体１を組立てる工程について説明する。
【００６２】
図８に示すように、正面板３０を筐体本体２内の空間を閉塞するように嵌挿させて、正面板３０に設けられている張出部３０ａ、張出部３０ｂ、張出部３０ｃ、張出部３０ｄを、夫々、筐体本体２の係合部２０ｃ、係合部２４ｃ、係合部１２ｃ、係合部１６ｃに係合させて、図１に示すように、正面板３０と筐体本体２とを組立てる。同様にして、図１に示すように、背面板３１を筐体本体２内の空間を閉塞するように嵌挿させて、背面板３０に設けられている張出部３１ａ、張出部３１ｂ、張出部３１ｃ、張出部３１ｄを、夫々、筐体本体２の係合部２２ｃ、係合部２６ｃ、係合部１４ｃ、係合部１８ｃに係合させて、背面板３１と筐体本体２とを組立てる。本実施の形態による正面板３０及び背面板３１には各々４個の張出部を有し、夫々を筐体本体２の所定の係合部に係合させているので、正面板３０及び背面板３１は筐体本体２と外れにくい構成となっており、ペット用筐体１は、内部におけるペットの動きに対しても強い構成となっている。このようにして、本発明によるペット用筐体１は、組立てられる。
【００６３】
ペット用筐体１は、図１に示すように、筐体本体２の総ての縁辺部の切欠部が、隣接する他の縁辺部の切欠部と当接し、該切欠部の当接は、前記のように相互に係合がされた総ての折返片によって支持されるので、筐体本体のゆがみに対して強い構造であるが、さらに、筐体本体２の縁辺部１３、縁辺部１７、縁辺部２１、縁辺部２５によって形成される周縁部に嵌挿可能な大きさで形成された正面板３０及び背面板３１を、筐体本体２内の空間を閉塞するように嵌挿させて固定されているので、ペット用筐体１はさらにゆがみに対して強い構造となる。
【００６４】
次に、図９乃至図１１を参照して、本発明によるペット用筐体の第２の実施の形態を説明する。図９は、第２の実施の形態によるペット用筐体が組立てられた状態の斜視図、図１０（ａ）は、第２の実施の形態によるペット用筐体の筐体本体の展開図、（ｂ）は、正面板の平面図、（ｃ）は、背面板の正面図、図１１は、第２の実施の形態によるペット用筐体の組立てる工程を示す斜視図である。
【００６５】
図９に示すように、ペット用筐体４０は、内側に収容空間を有する筐体本体４１と、筐体本体４１の収容空間を閉塞する正面板８０及び背面板８１とからなり、筐体本体４１は、全体として六角柱状で構成され、第１側面部４５、第２側面部４６、第３側面部４７、第４側面部４８、第５側面部４９、第６側面部５０を有する。
【００６６】
図９に示すように、組立てられたペット用筐体４１を展開すると、図１０に示すように、一面のシート状で所定の形状に型どられた筐体本体４１と、正面板８０と、背面板８１に分解される。なお、筐体本体４１、正面板８０、背面板８１は、段ボールで成形されているが、それ以外の材料により構成してもよい。以下、展開された筐体本体４１、正面板８０及び背面板８１の構成について説明する。
【００６７】
図１０（ａ）に示すように、筐体本体４１は、第１側面部４５、第２側面部４６、第３側面部４７、第４側面部４８、第５側面部４９及び第６側面部５０を有し、この順で一列に配されており、各境界は、組立てる際に折り曲げがし易いように折り目が形成されている（以下、この他の折り目に関する説明は省略する。）。
【００６８】
図１０（ａ）に示すように、第１側面部４５は、筐体本体４１の組立て時に第６側面部５０と組み合わされる側の１辺に折込片４４を有し、折込片４４と第１側面部４５との境界上に第１挿入孔４３ａ及び第２挿入孔４３ｂが離間配置されている。
【００６９】
図１０（ａ）に示すように、第６側面部５０は、筐体本体４１の組立て時に第１側面部４５と組み合わされる１辺に、第１舌片４２ａ及び第２舌片４２ｂを有し、第１挿入孔４３ａ及び第２挿入孔４３ｂと同じ間隔で離間配置されている。第１舌片４２ａ及び第２舌片４２ｂの構成及び機能については、第１の実施の形態における筐体本体２の第１舌片３ａ及び第２舌片３ｂと同様であるので、説明は省略する。
【００７０】
図１０（ａ）に示すように、第１側面部４５は、第２側面部４６と隣接している１辺（すなわちＸ方向に位置する辺）と直交する２辺（すなわちＹ方向に位置する辺）に、縁辺部５５又は縁辺部５７を有する。縁辺部５５及び縁辺部５７の構成及び機能については、第１の実施の形態における筐体本体２の縁辺部１３及び縁辺部１５と同様であるので、説明は省略する。
【００７１】
また、図１０（ａ）に示すように、縁辺部５５の端部には、折返片５４が設けられ、縁辺部５７の端部には、折返片５６が設けられている。図１０（ａ）に示すように、折返片５４は、係合凹部５４ａと、係合凸部５４ｂと、係合部５４ｃと、凹部５４ｄとを有する。
【００７２】
図１０（ａ）に示すように、係合凹部５４ａは、折返片５４の一方の側端に係合凹部５４ａが形成され、筐体本体４１を組立てた場合に隣接する他の折返片に設けられた係合凸部と係合するようになっており、係合凸部５４ｂは、折返片５４の他方の側端に係合凸部５４ｂが形成され、筐体本体４１を組立てた場合に隣接する他の折返片に設けられた係合凹部と係合するようになっている。なお、本実施の形態では、折返片の両側端に１つの係合凹部又は係合凸部を設けているが、必ずしも一つである必要はなく、筐体本体４１を組立てた場合に隣接する他の折返片に設けられた係合凸部又は係合凹部の数に対応させて複数の係合凹部又は係合凸部を設けて構成してもよい。
【００７３】
図１０（ａ）に示すように、係合部５４ｃの構成及び機能は、第１の実施の形態における筐体本体２の係合部１２ｃと同様であるので、説明は省略する。
【００７４】
図１０（ａ）に示すように、凹部５４ｄは、折返片５４の端部の中央部近傍を円弧状に切除して設けられている。なお、本実施の形態では、凹部５４ｄは、円弧状に切除して設けられているが、必ずしもかかる構成をとる必要はなく、矩形状に切除してもよく、これ以外の形状で切除して構成してもよい。
【００７５】
なお、図１０（ａ）に示すように、縁辺部５７及び折返片５６は、縁辺部５５及び折返片５４と同様の構成でなる。
【００７６】
図１０（ａ）に示すように、縁辺部５５及び縁辺部５７と同様の構成で、第２側面部４６は縁辺部５９及び縁辺部６１、第３側面部４７は縁辺部６３及び縁辺部６５、第４側面部４８は縁辺部６７及び縁辺部６９、第５側面部４９は縁辺部７１及び縁辺部７３、第６側面部５０は縁辺部７５及び縁辺部７７を有している。
【００７７】
図１０（ａ）に示すように、折返片５４及び折返片５６と同様の構成で、第２側面部４６は折返片５８及び折返片６０、第３側面部４７は折返片６２及び折返片６４、第４側面部４８は折返片６６及び折返片６８、第５側面部４９は折返片７０及び折返片７２、第６側面部５０は折返片７４及び折返片７６を有している。
【００７８】
図１０（ｂ）に示すように、正面板８０は、六角形で構成されてなり、図９に示すように、前記筐体本体４１の縁辺部５５、縁辺部５９、縁辺部６３、縁辺部６７、縁辺部７１、縁辺部７５によって形成される周縁部に嵌挿可能な大きさで形成され、各辺には夫々、張出部８０ａ、張出部８０ｂ、張出部８０ｃ、張出部８０ｄ、張出部８０ｅ、張出部８０ｆを設けて、筐体本体４１の係合部５４ｃ、係合部５８ｃ、係合部６２ｃ、係合部６６ｃ、係合部７０ｃ、係合部７４ｃと係合できるようになっている。また、正面板８０の中央に、ペットの出入が可能な円形形状の出入口８０ｇが形成されている。
【００７９】
図１０（ｃ）に示すように、背面板８１の構成及び機能は、正面板８０と同様であるので、説明を省略する。
【００８０】
次に、図１１を参照して、本発明によるペット用筐体の組立工程について説明し、併せて、ペット用爪研部材をペット用筐体に取り付ける構造及び方法について説明する。
【００８１】
図１１に示すように、筐体本体４１を組立てるには、まず、総ての縁辺部及び折返片を折り曲げない状態において、折込辺４４、第１側面部４５、第２側面部４６、第３側面部４７、第４側面部４８、第５側面部４９、第６側面部５０、第１舌片４２ａ及び第２舌片４２ｂを各境界に設けられた折り目に沿って折り曲げる。その際に、第１舌片４２ａを第１挿入孔４３ａに挿入し、第２舌片４３ｂを第２挿入孔４３ｂに挿入して固定する。
【００８２】
次に、図１１に示すように、総ての縁辺部及び折返片を折り曲げて、各折返片の両側端に設けられた係合凸部又は係合凹部と、これに隣接する折返片の両側端に設けられた係合凹部又は係合凸部とが係合するように組立てる。具体的には、縁辺部５５を、第１側面部４５との境界に設けられた折り目に沿って折り曲げ、更に、折返片５４を、縁辺部５５との境界に設けられた折り目に沿って折り曲げる際に、既に折り曲げられて隣接する折返片７４の係合凸部７４ｂと、折返部５４の係合凹部５４ａとが係合するようにする。同様に他の総ての各係合凸部と係合凹部が係合するように縁辺部及び折返片を折り曲げて組立てる。
【００８３】
次に、図９を参照して、組立てられた筐体本体に、ペット用爪研部材を取り付ける構造及び方法について説明する。
ここで、筐体本体４１に取り付けるペット用爪研部材は、第１の実施の形態における筐体本体２に固定するペット用爪研部材３５と同様の構成及び機能を有するものである。
【００８４】
図９に示すように、ペット用爪研部材３５をペット用筐体４０に固定する固定方法は、筐体本体４１の各縁辺部と折返片を組立てる前に、図９に示す所定の位置にペット用爪研部材３５を予め設置してから、筐体本体４１の各縁辺部と折返片を組立てることによって、筐体本体４１の組立て途中においてペット用爪研部材３５をペット用筐体４０に固定する。
【００８５】
次に、図９及び図１１を参照して、前記のように組立てられた筐体本体４１に、正面板８０及び背面板８１を取り付けてペット用筐体４０を組立てる工程について説明する。図９及び図１１に示すように、正面板８０を筐体本体４１内の空間を閉塞するように嵌挿させて、正面板８０に設けられている張出部８０ａ、張出部８０ｂ、張出部８０ｃ、張出部８０ｄ、張出部８０ｅ、張出部８０ｆを夫々、筐体本体４１の係合部５４ｃ、係合部５８ｃ、係合部６２ｃ、係合部６６ｃ、係合部７０ｃ、係合部７４ｃに係合させて、図９に示すように、正面板８０と筐体本体４１とを組立てる。同様にして、図９に示すように、背面板８１を筐体本体２内の空間を閉塞するように嵌挿させて、各張出部を所定の係合部に係合させて、背面板８１と筐体本体４１とを組立てる。このようにして、本発明によるペット用筐体４０は、組立てられる。
【００８６】
【発明の効果】
以上説明したように、本発明によれば、展開及び組立てが自在でありかつ段ボール等の安価な材質によって構成した低廉なペット用筐体であり、ペット用筐体へのペットの出入りやペット用筐体内部でのペットの動きにも耐え得る強固な構成でなるので、ペット用筐体が破損し難く、コストを削減できる。
【００８７】
また、本発明によれば、ペット用筐体の中にペット用爪研部材を固定する構成としたので、人目につかない狭い場所を好み、また、爪を研ぐというペットの習性を同時に満たすことができるとともに、爪研によって生じる爪研屑が周囲に散逸することを防止できる。
【００８８】
さらに、ペット用筐体とペット用爪研部材とを別体によって構成し、脱着が容易な構成としたので、ペット用爪研部材が磨耗し、爪研ぎの効果がなくなった場合には、ペット用爪研部材のみを取り替えることが可能であり、コストを削減することができる。
【図面の簡単な説明】
【図１】本発明によるペット用筐体が組立てられた状態の斜視図である。
【図２】（ａ）は、本発明によるペット用筐体の筐体本体の展開図、（ｂ）は、正面板の平面図、（ｃ）は、背面板の正面図である。
【図３】筐体本体の側面を組立てる工程を示す斜視図である。
【図４】筐体本体の縁辺部及び折返片を組立てる工程を示す斜視図である。
【図５】（ａ）は、ペット用爪研部材の第１の固定状態を示す斜視図、（ｂ）は、ペット用爪研部材の第２の固定状態を示す斜視図である。
【図６】（ａ）は、ペット用爪研部材の第１の固定状態とする工程を示す斜視図及びペット用爪研部材の部分拡大図、（ｂ）は、ペット用爪研部材の第１の固定状態とした工程を示す斜視図である。
【図７】ペット用爪研部材の第２の固定状態とする工程を示す斜視図である。
【図８】筐体本体に正面板を取り付ける工程を示す斜視図である。
【図９】第２の実施の形態によるペット用筐体が組立てられた状態の斜視図である。
【図１０】（ａ）は、第２の実施の形態によるペット用筐体の筐体本体の展開図、（ｂ）は、正面板の平面図、（ｃ）は、背面板の正面図である。
【図１１】第２の実施の形態によるペット用筐体の組立てる工程を示す斜視図である。
【図１２】（ａ）は、従来のペット用筐体の展開図、（ｂ）は、従来のペット用筐体の組立工程を示す斜視図、（ｃ）は、従来のペット用筐体の斜視図である。
【図１３】従来のペット用爪研部材を備えたペット用筐体の斜視図である。
【符号の説明】
１                ペット用筐体
２                筐体本体
３ａ              第１舌片
３ａ１            第１舌片係止用段部
３ａ２            第１舌片係止用段部
３ｂ              第２舌片
３ｂ１            第２舌片係止用段部
３ｂ２            第２舌片係止用段部
４ａ              第１挿入孔
４ｂ              第２挿入孔
５                折込片
６                底面部
７                右側面部
８                上面部
８ａ              出入口
９                左側面部
１２              折返片
１２ａ            係合凹部
１２ｂ            係合凹部
１２ｃ            係合部
１２ｄ            凹部
１３              縁辺部
１３ａ            切欠部
１３ｂ            切欠部
１４              折返片
１４ｃ            係合部
１４ｄ            凹部
１５              縁辺部
１６              折返片
１６ｃ            係合部
１７              縁辺部
１８              折返片
１８ｃ            係合部
１９              縁辺部
２０              折返片
２０ｃ            係合部
２１              縁辺部
２２              折返片
２２ｃ            係合部
２３              縁辺部
２４              折返片
２４ｂ            係合凸部
２４ｃ            係合部
２５              縁辺部
２５ｂ            切欠部
２６              折返片
２６ｃ            係合部
２７              縁辺部
３０              正面板
３０ａ            張出部
３０ｂ            張出部
３０ｃ            張出部
３０ｄ            張出部
３０ｅ            出入口
３１              背面板
３１ａ            張出部
３１ｂ            張出部
３１ｃ            張出部
３１ｄ            張出部
３１ｅ            出入口
３５              ペット用爪研部材
３５ａ            爪研部材裁断面
３５ｂ            爪研部材側面
３５ｃ            爪研面
３６              ペット用爪研部材
３６ａ            爪研部材裁断面
３６ｂ            爪研部材側面
３６ｃ            爪研面
４０              ペット用筐体
４１              筐体本体
４２ａ            第１舌片
４２ｂ            第２舌片
４３ａ            第１挿入孔
４３ｂ            第２挿入孔
４４              折込片
４５              第１側面部
４６              第２側面部
４７              第３側面部
４８              第４側面部
４９              第５側面部
５０              第６側面部
５４              折返片
５４ａ            係合凹部
５４ｂ            係合凸部
５５              縁辺部
５５ａ            切欠部
５５ｂ            切欠部
５５ｃ            係合部
５５ｄ            凹部
５６              折返片
５６ｃ            係合部
５６ｄ            凹部
５７              縁辺部
５８              折返片
５８ｃ            係合部
５９              縁辺部
６０              折返片
６０ｃ            係合部
６１              縁辺部
６２              折返片
６２ｃ            係合部
６３              縁辺部
６４              折返片
６４ｃ            係合部
６５              縁辺部
６６              折返片
６６ｃ            係合部
６７              縁辺部
６８              折返片
６８ｃ            係合部
６９              縁辺部
７０              折返片
７０ｃ            係合部
７１              縁辺部
７２              折返片
７２ｃ            係合部
７３              縁辺部
７４              折返片
７４ｂ            嵌合凸部
７４ｃ            係合部
７５              縁辺部
７５ｂ            切欠部
７６              折返片
７６ｃ            係合部
７７              縁辺部
８０              正面板
８０ａ            張出部
８０ｂ            張出部
８０ｃ            張出部
８０ｄ            張出部
８０ｅ            張出部
８０ｆ            張出部
８０ｇ            出入口
８１              背面板
８１ａ            張出部
８１ｂ            張出部
８１ｃ            張出部
８１ｄ            張出部
８１ｅ            張出部
８１ｆ            張出部
８１ｇ            出入口
１００            従来のペット用筐体
１０１            上面部
１０１ａ          折込片
１０１ｂ          舌片
１０１ｅ          出入口
１０２            側面部
１０２ｅ          出入口
１０３            底面部
１０３ｅ          出入口
１０４            側面部
１０４ａ          折込片
１０４ｂ          係合部
１０４ｃ          舌片
１０４ｅ          出入口
１０５            閉塞部
１０５ｅ          出入口
１０６            閉塞部
１０６ａ          折込片
１０６ｂ          係合部
１０６ｃ          折込片
１０６ｄ          係合部
１０６ｅ          出入口
１２０            従来のペット用爪研部材を備えたペット用筐体
１２１            筐体本体
１２１ａ          斜面部
１２１ｂ          斜面部
１２１ｃ          出入口
１２１ｄ          側面部
１２１ｅ          側面部
１２１ｆ          底面部
１２２            平面部
１２３            ペット用爪研部材
【図１】
2004166670.tif 000003
【図２】
2004166670.tif 000004
【図３】
2004166670.tif 000005
【図４】
2004166670.tif 000006
【図５】
2004166670.tif 000007
【図６】
2004166670.tif 000008
【図７】
2004166670.tif 000009
【図８】
2004166670.tif 000010
【図９】
2004166670.tif 000011
【図１０】
2004166670.tif 000012
【図１１】
2004166670.tif 000013
【図１２】
2004166670.tif 000014
【図１３】
2004166670.tif 000015